(57)【要約】【課題】  携帯性を考慮して刃を収納し、簡易に一方の刃を開状態にし、片手で持ち易く安定した操作を実現できるレターオープナー付小型ハサミを提供する。【解決手段】  本体１の中央の操作部３を操作させると、第１の刃部２ａに対応する第２の刃部２ｂを開状態として、ハサミとして使用でき、第２の刃部２ｂを閉状態にして操作部３を元に戻すと、第２の刃部２ｂが本体１に収納されるものであり、第２の刃部２ｂの背部に第１の刃部２ａの刃線部分を覆う押さえ部２０を設け、第２の刃部２ｂが本体１に収納されている状態で、押さえ部２０が第１の刃部２ａの刃線部分を覆って、第１の刃部２ａの刃線を露出させないようにした小型ハサミである。【選択図】        図５
0003182892.tif 000002
【実用新案登録請求の範囲】
【請求項１】
本体と、
前記本体に固定して取り付けられ、刃線部分が露出する第１の刃部と、
支点を中心に開閉し、閉状態で前記本体に収納される第２の刃部と、
前記第２の刃部を開状態又は閉状態に保つ操作部と、
前記第２の刃部の背部に設けられ、前記第２の刃部を閉状態にした場合に前記第１の刃部の刃線部分を覆う押さえ部とを有することを特徴とする小型ハサミ。
【請求項２】
支点に取り付けられたねじれバネと、
第２の刃部に設けられた、開きすぎ防止の突起部と、
前記第２の刃部の開きすぎを防止する、開きすぎ防止部とを有し、
前記ねじりバネで前記第２の刃部を開状態にし、
前記突起部が前記開きすぎ防止部に接触して前記第２の刃部の開きすぎを防止することを特徴とする請求項１記載の小型ハサミ。
【請求項３】
第２の刃部に凹形状の凹部が設けられ、
当該凹部に操作部の一部が差し込まれることで前記第２の刃部を閉状態に固定することを特徴とする請求項１又は２記載の小型ハサミ。
【請求項４】
本体に溝部を形成し、
前記溝部内にレターオープナー用に第３の刃部を設けたことを特徴とする請求項１乃至３のいずれか記載の小型ハサミ。
【請求項５】
溝部は、第１及び第２の刃部とは反対側に形成されていることを特徴とする請求項４記載の小型ハサミ。
【請求項６】
本体が楕円形状で、溝部側の一部を凹ませてそらまめ形状としたことを特徴とする請求項５記載の小型ハサミ。
【考案の詳細な説明】
【技術分野】
【０００１】
本考案は、小型ハサミに係り、特に、携帯可能であって安全性に優れ、レターの開封も容易にえきるレターオープナー付小型ハサミに関する。
【背景技術】
【０００２】
［先行技術の説明／関連技術］
従来の小型ハサミは、携帯することを考慮して、刃を収納できるものがある。
例えば、関連する先行技術としては、特開平０８−１８２８７０号公報「ケース付はさみ」（特許文献１）、実用新案登録第３１７６８６５号公報「携帯用小型ハサミ」（特許文献２）、実開平０６−３９４９８号公報「開封器」（特許文献３）、実用新案登録第２５１６７５９号公報「安全はさみ」（特許文献４）、実開平０１−５５８７５号公報「ケース付き握り鋏」（特許文献５）がある。
【０００３】
特許文献１，５には、和はさみをケースから引き出して使用し、使用後にケースに収納する構成が示されている。
特許文献２，４には、小型はさみをケースから押し出して使用可能とし、使用後にケースに収納する構成が示されている。
引用文献３には、オープナーの刃をケースから押し出して使用して収納する構成が示されている。
【先行技術文献】
【特許文献】
【０００４】
【特許文献１】特開平０８−１８２８７０号公報
【特許文献２】実用新案登録第３１７６８６５号公報
【特許文献３】実開平０６−０３９４９８号公報
【特許文献４】実用新案登録第２５１６７５９号公報
【特許文献５】実開平０１−０５５８７５号公報
【考案の概要】
【考案が解決しようとする課題】
【０００５】
しかしながら、上記従来の小型ハサミでは、携帯性を考慮して刃を収納するものではあるが、簡易に一方の刃を開状態にし、片手で持ち易く安定した操作を実現するものとはなっていないという問題点があった。
【０００６】
更に、従来の小型ハサミでは、レター開封を実現でき、開封用の刃によって利用者が怪我をすることがないよう充分配慮されていないという問題点があった。
【０００７】
尚、特許文献１〜５には、一方の刃が中央のスライダーで開状態となり、他方の刃は固定で、開状態の一方の刃を閉状態に戻す場合に、固定の刃を一方の刃の背面に形成された指押さえで保護する構成は記載されていない。
また、特許文献１〜５では、小型ハサミであってレターオープナーとしても機能することが記載されていない。
【０００８】
本考案は上記実状に鑑みて為されたもので、携帯性を考慮して刃を収納し、簡易に一方の刃を開状態にし、片手で持ち易く安定した操作を実現できるレターオープナー付小型ハサミを提供することを目的とする。
【課題を解決するための手段】
【０００９】
上記従来例の問題点を解決するための本考案は、小型ハサミにおいて、本体と、本体に固定して取り付けられ、刃線部分が露出する第１の刃部と、支点を中心に開閉し、閉状態で前記本体に収納される第２の刃部と、第２の刃部を開状態又は閉状態に保つ操作部と、第２の刃部の背部に設けられ、第２の刃部を閉状態にした場合に第１の刃部の刃線部分を覆う押さえ部とを有することを特徴とする。
【００１０】
本考案は、上記小型ハサミにおいて、支点に取り付けられたねじれバネと、第２の刃部に設けられた、開きすぎ防止の突起部と、第２の刃部の開きすぎを防止する、開きすぎ防止部とを有し、ねじりバネで第２の刃部を開状態にし、突起部が開きすぎ防止部に接触して第２の刃部の開きすぎを防止することを特徴とする。
【００１１】
本考案は、上記小型ハサミにおいて、第２の刃部に凹形状の凹部が設けられ、当該凹部に操作部の一部が差し込まれることで第２の刃部を閉状態に固定することを特徴とする。
【００１２】
本考案は、上記小型ハサミにおいて、本体に溝部を形成し、溝部内にレターオープナー用に第３の刃部を設けたことを特徴とする。
【００１３】
本考案は、上記小型ハサミにおいて、溝部が、第１及び第２の刃部とは反対側に形成されていることを特徴とする。
【００１４】
本考案は、上記小型ハサミにおいて、本体が楕円形状で、溝部側の一部を凹ませてそらまめ形状としたことを特徴とする。
【考案の効果】
【００１５】
本考案によれば、本体と、本体に固定して取り付けられ、刃線部分が露出する第１の刃部と、支点を中心に開閉し、閉状態で本体に収納される第２の刃部と、第２の刃部を開状態又は閉状態に保つ操作部と、第２の刃部の背部に設けられ、第２の刃部を閉状態にした場合に第１の刃部の刃線部分を覆う押さえ部とを有する小型ハサミとしているので、携帯性を考慮して刃を収納し、簡易に一方の刃を開状態にし、片手で持ち易く安定した操作を実現できる効果がある。
【００１６】
本考案によれば、本体に溝部を形成し、溝部内にレターオープナー用に第３の刃部を設けた上記小型ハサミとしているので、レターオープナーとして使用できる効果がある。
【図面の簡単な説明】
【００１７】
【図１】本ハサミの閉じた状態の正面図である。
【図２】図１の左側面図である。
【図３】図１の底面図である。
【図４】図１の上面図である。
【図５】本ハサミを開いた状態の正面図である。
【図６】本ハサミを閉じた状態の背面断面説明図である。
【図７】本ハサミを閉じた状態の正面断面説明図である。
【図８】本ハサミの開いた状態の正面説明図である。
【図９】スライダー３ａと周辺部３ｃの断面説明図である。
【考案を実施するための形態】
【００１８】
本考案の実施の形態について図面を参照しながら説明する。
［実施の形態の概要］
本考案の実施の形態に係るレターオープナー付小型ハサミは、本体の中央の操作部を操作させると、第１の刃部に対応する第２の刃部を開状態として、ハサミとして使用でき、第２の刃部を閉状態にして操作部を元に戻すと、第２の刃部が本体に収納されるものであり、第２の刃部の背部に第１の刃部の刃線部分を覆う押さえ部を設け、第２の刃部が本体に収納されている状態で、押さえ部が第１の刃部の刃線部分を覆って、第１の刃部の刃線を露出させないようにし、安全性を向上させたものである。
【００１９】
また、本考案の実施の形態に係るレターオープナー付小型ハサミは、第１の刃部が設けられた側とは反対側に溝部を形成し、その溝部内にレターオープナー用の第３の刃部を設けたものであり、レターオープナーとして使用できるものである。
【００２０】
［本ハサミ：図１〜５］
本考案の実施の形態に係るレターオープナー付小型ハサミ（本ハサミ）について図１〜３を参照しながら説明する。図１は、本ハサミの閉じた状態の正面図であり、図２は、図１の左側面図であり、図３は、図１の底面図であり、図４は、図１の上面図であり、図５は、本ハサミを開いた状態の正面図である。
本ハサミは、図１に示すように、本体１の中央部分にハサミ部２を開閉する操作部３が設けられている。また、本体１の端部（図１では本体１の右端）にストラップやチェーンを通すための貫通孔１１が設けられている。
【００２１】
［本体１］
本体１は、楕円形で底辺の一部を凹ませて凹形状とし、そら豆の形状をしたものである。この凹形状が、本ハサミを片手で持った場合に、人差指又は中指が安定して保持できるものである。
尚、本体１の素材は、プラスチックであり、着色されているが、半透明である。本体１の内部構造についての詳細は、後述する。
【００２２】
［ハサミ部２］
ハサミ部２は、本体１の上部に設けられ、本体１に固定された第１の刃部２ａと、開閉する第２の刃部２ｂとを備えている。
第１の刃部２ａは、本体１に収納されて固定され、ハサミ部２の開状態で刃線部分が露出するようになっている。
【００２３】
第２の刃部２ｂは、図１の操作部３のスライダー３ａを左方向（刃先方向）に移動させると開状態となるもので、第２の刃部２ｂを押さえ込んで閉状態にし、スライダー３ａを右方向（貫通孔１１の方向）に移動させると、第２の刃部２ｂが閉状態のままロックされ、第２の刃部２ｂが本体１に収納されることになる。
【００２４】
また、第２の刃部２ｂの背部には、親指で押さえ易いようにプラスチック製の押さえ部２０が形成されている。この押さえ部２０により、第２の刃部２ｂの背部を親指で直接に押さえることがないため、親指で安定して操作できる。更に、押さえ部２０により、誤って第１の刃部１ａの刃線部分に指が触れることがなく、安全性を向上させることができる。
【００２５】
［操作部３］
操作部３は、スライダー３ａを備えており、図１に示すように、スライダー３ａが右に位置している状態が、本ハサミが閉じた状態でロックされている。
また、図５に示すように、スライダー３ａが左に位置している状態が、本ハサミのロックが解除されて、本ハサミが開いた状態となるものである。
図５では、操作部３に溝部３ｂが見えた状態となる。この溝部３ｂに、スライダー３ａに接続する心棒が貫通して溝部３ｂ内を左右方向に移動可能となっている。
ロックの設定、解除については後述する。
【００２６】
［オープナー部４］
本ハサミの底辺には、レターを開封するオープナー部４が設けられている。
オープナー部４は、本体１の底辺に逆Ｖ字の溝部が形成され、その溝部内にカッターの刃部が固定されている。刃部は、溝部内の中央に設けられ、レター等の薄い封筒は差し込むことができるものの、人の指が刃部に接触することがないようになっている。
【００２７】
［本ハサミの内部構造：図６〜８］
次に、本ハサミの内部構造について図６〜８を参照しながら説明する。図６は、本ハサミを閉じた状態の背面断面説明図であり、図７は、本ハサミを閉じた状態の正面断面説明図であり、図８は、本ハサミの開いた状態の正面説明図である。
本ハサミは、図６に示すように、開閉する第２の刃部２ｂが軸部１０を支点として回転して動作する。
軸部１０は、本体１の正面部分と背面部分とを接続する円柱形状となっている。
【００２８】
また、軸部１０の周辺にはねじりバネ（巻きバネ）５が取り付けられており、ねじりバネ５の一端５ａは、第２のハサミ２ｂに形成された穴に挿入され、固定されている。
更に、ねじりバネ５の他端は、開きすぎ防止部６に接触するようになっている。特に、他端は操作部３の溝部３ｂ側に設けられるようになっている。
【００２９】
開きすぎ防止部６は、本体１の正面側と背面側と接続するピン形状となっている。
また、第２の刃部２ｂには、開きすぎ防止部６に接触する、開きすぎ防止用の突起部２１が設けられている。ロックが解除されると、ねじりバネ５の作用により、突起部２１が開きすぎ防止部６方向に移動するが、突起部２１は開きすぎ防止部６に留まるため、第２の刃部２ｂはそれ以上開状態となることを防止できる。
【００３０】
第２の刃部２ｂは、操作部３の溝部３ｂの形状に合わせて凹形状の凹部が形成されており、その凹部にスライダー３ａの心棒が差し込まれて、第２の刃部２ｂの閉状態をロックしている。心棒が図６において溝部３ｂの右側に移動されると、閉状態のロックが解除されることになる。
【００３１】
また、図６に示すように、オープナー部４の溝部内にカッターの刃部４０が設けられている。図中に示した破線部分がオープナー部４の溝部の終端部分、つまり、レターの接触部分（ガイド部分）を示している、
オープナー部４の溝部に差し込まれたレターは破線部分のガイド部分に導かれてカッターの刃部４０に接触して開封される。
【００３２】
図７に示すように、スライダー３ａが右側に位置して心棒が第２の刃部２ｂの凹部に挿入された状態となっており、ハサミ部２が閉状態でロックされている。
図８に示すように、スライダー３ａが左側に位置して、心棒が第２の刃部２ｂの凹部から外れると、ロックが解除され、第２の刃部２ｂはねじりバネ５の作用により開状態となる。但し、第２の刃部２ｂの突起部２１が開きすぎ防止部６に当接するため、それ以上の開状態とはならないものである。
【００３３】
また、操作部３における溝部３ｂの周辺部３ｃの表面部分とスライダー３ａの裏面部分には、スライダー３ａが勝手に移動しないように、ストッパーとしての凹凸形状が形成されている。
【００３４】
［スライダー３ａと周辺部分３ｃの断面：図９］
図９は、スライダー３ａと周辺部３ｃの断面説明図である。
周辺部３ｃには、溝部３ｂに直交するように、つまり、図８の縦方向に凸部が形成されている。
それに対して、スライダー３ａの裏面には複数の凸部が図８の縦方向に形成されている。
スライダー３ａの凸部と周辺部３ｃの凸部とのかみ合わされた状態は、通常固定されるものであるが、指でスライダー３ａを操作することで、移動可能なものである。
【００３５】
図９で、スライダー３ａの左から１番目の凸部と２番目の凸部の間に、周辺部３ｃの凸部が位置している状態が、ハサミ２の閉状態をロックするものである。
スライダー３ａを図９の左方向にスライド（移動）させると、スライダー３ａの２番目の凸部が周辺部３ｃの凸部を乗り越え、更に、スライダー３ａの左から３番目の凸部が周辺部３ｃの凸部を乗り越えると、ハサミ２の開状態が保持される。図８で、本体１の右側を下に左側を上にしても、スライダー３ａが溝部３ｂを滑り落ちることがない。
【００３６】
［実施の形態の効果］
本ハサミによれば、本体１の中央の操作部３を操作させると、第１の刃部２ａに対応する第２の刃部２ｂを開状態として、ハサミとして使用でき、第２の刃部２ｂを閉状態にして操作部３を元に戻すと、第２の刃部２ｂが本体１に収納されるものであり、第２の刃部２ｂの背部に第１の刃部２ａの刃線部分を覆う押さえ部２０を設け、第２の刃部２ｂが本体１に収納されている状態で、押さえ部２０が第１の刃部２ａの刃線部分を覆って、第１の刃部２ａの刃線を露出させないようにし、安全性を向上させることができる効果がある。
【００３７】
また、本ハサミによれば、第１の刃部２ａが設けられた側とは反対側にオープナー部４の溝部を形成し、その溝部内にレターオープナー用の第３の刃部４０を設けたものであり、レターオープナーとして使用できる効果がある。
【００３８】（公序良俗違反につき、不掲載）
【産業上の利用可能性】
【００３９】
本考案は、携帯性を考慮して刃を収納し、簡易に一方の刃を開状態にし、片手で持ち易く安定した操作を実現できるレターオープナー付小型ハサミに適している。
【符号の説明】
【００４０】
１...本体、  ２...ハサミ部、  ２ａ...第１の刃部、  ２ｂ...第２の刃部、  ３...操作部、  ３ａ...スライダー部、  ３ｂ...溝部、  ３ｃ...周辺部、  ４...オープナー部、  ５...ねじりバネ、  ５ａ...一端、  ６...開きすぎ防止部、  １０...軸部（支点）、  １１...貫通孔、  ２０...押さえ部、  ２１...突起部、  ４０...刃部
【図１】
0003182892.tif 000003
【図２】
0003182892.tif 000004
【図３】
0003182892.tif 000005
【図４】
0003182892.tif 000006
【図５】
0003182892.tif 000007
【図６】
0003182892.tif 000008
【図７】
0003182892.tif 000009
【図８】
0003182892.tif 000010
【図９】
0003182892.tif 000011
【手続補正書】
【提出日】平成25年1月17日(2013.1.17)
【手続補正１】
【補正対象書類名】明細書
【補正対象項目名】００３８
【補正方法】削除
【補正の内容】